(57)【特許請求の範囲】
【請求項１】
被測定ガス中の水素と酸素の反応による酸素濃度の減少を検出して、この酸素濃度の減少量から水素濃度を検出する検出部を設けるとともに、上記検出部に、拡散抵抗手段を介して被測定ガスを導入するようになした水素センサにおいて、上記検出部が、酸素イオン導電性固体電解質よりなる基体の表面に形成した一対の電極を有し、該一対の電極の一方に上記拡散抵抗手段を介して被測定ガスを導入する限界電流式の酸素センサ素子構造を有しており、上記拡散抵抗手段を、多孔度２〜１０％、膜厚２００〜１０００μｍの多孔質層にて構成して、該拡散抵抗手段を通過する際の水素と酸素の拡散速度に差を設けたことを特徴とする水素センサ。
【請求項２】
被測定ガス中の水素と酸素の反応による酸素濃度の減少を検出して、この酸素濃度の減少量から水素濃度を検出する検出部を設けるとともに、上記検出部に、拡散抵抗手段を介して被測定ガスを導入するようになした水素センサにおいて、上記検出部が、酸素イオン導電性固体電解質よりなる基体の表面に形成した一対の電極を有し、該一対の電極の一方に上記拡散抵抗手段を介して被測定ガスを導入する限界電流式の酸素センサ素子構造を有しており、上記拡散抵抗手段を、ピンホールとその表面を覆う多孔度３〜３０％、膜厚１０〜２００μｍの多孔質の保護層にて構成して、該拡散抵抗手段を通過する際の水素と酸素の拡散速度に差を設けたことを特徴とする水素センサ。
【請求項３】
上記検出部は、筒状のカバー体内に収容され、該カバー体の一端に設けた開口を被測定ガスの導入口とするとともに、該導入口に火炎伝播を防止するための防爆金網を配設した請求項１または２記載の水素センサ。
【請求項４】
上記基体は上記酸素イオン導電性固体電解質が試験管状に成形してなり、上記一対の電極は上記基体の先端部近傍に内外周面の対向位置に設けた請求項１ないし３のいずれか記載の水素センサ。
【請求項５】
上記基体は上記酸素イオン導電性固体電解質をシート状に成形してなり、上記一対の電極は上記基体の上下表面の対向位置に設けた請求項１ないし３のいずれか記載の水素センサ。
【請求項６】
請求項１ないし５のいずれか記載の水素センサを備え、電池の充放電時に、上記水素センサを用いて電池室内における水素の発生を検出することにより、過充電または過放電を検出することを特徴とする電池の過充電・過放電検出装置。
【請求項７】
請求項１ないし５のいずれか記載の水素センサを備え、該水素センサを燃料電池本体へ水素を供給する水素供給系の近傍に配置して該水素供給系における水素の漏れを検出することを特徴とする燃料電池の水素漏れ検出装置。
【発明の詳細な説明】
【０００１】
【発明の属する技術分野】
本発明は、被測定ガス中の水素濃度を検出するための水素センサ、これを用いた電池の過充電・過放電検出装置および燃料電池の水素漏れ検出装置に関する。
【０００２】
【従来の技術】
電気自動車やハイブリッド車に使用される電池の過充電・過放電を防止するために、温度センサを用いた充放電制御システムが知られている。電池の過充電、過放電時には、電池室内で可燃性の水素が発生することから、安全のために充放電を停止する必要があり、このシステムでは、過充電時の電池温度の上昇に着目して、これを各電池に取り付けた温度センサによって検知するようになしてある。過放電時には、電池電圧が低下するので、これを検知することで過放電状態を検出している。
【０００３】
また、水素を用いる燃料電池は、その燃料極へ水素を供給する水素供給系において水素の漏れが生じた時には安全のため水素供給系の作動を停止する等の処置が必要となる。
【０００４】
【発明が解決しようとする課題】
しかしながら、上記従来のシステムでは、電池室内の電池一個毎に温度センサを取り付ける必要があり、多数の電池を使用する場合、それと同数の多数の温度センサが必要になる。また、過放電時は電池温度が上昇しないため、これら多数の温度センサは過充電の検出にしか利用できない。このため、上述したような過放電を検出するための手段を別途設ける必要があって、システムが複雑になる。
【０００５】
また、燃料電池においても、電気自動車やハイブリッド車に使用される場合等には簡易な構成で高感度に水素漏れを検出することが望まれる。
【０００６】
そこで、本発明者等は、より簡易に充放電を制御するために、過充電・過放電時に発生する水素を直接検出することを検討し、本発明に到達した。すなわち、本発明の目的は、電池の過充電、過放電時に発生する水素を感度よく検出することのできる水素センサを実現すること、およびこれを用いた電池の過充電・過放電検出装置を提供することにある。また、簡易な構成で水素漏れを感度よく検出することのできる燃料電池の水素漏れ検出装置を提供することにある。
【０００７】
【課題を解決するための手段】
本発明の請求項１の水素センサは、被測定ガス中の水素と酸素の反応による酸素濃度の減少を検出して、この酸素濃度の減少量から水素濃度を検出する検出部を有する。上記検出部は、酸素イオン導電性固体電解質よりなる基体の表面に形成した一対の電極を有し、該一対の電極の一方に上記拡散抵抗手段を介して被測定ガスを導入する限界電流式の酸素センサ素子構造を有している。上記検出部には、拡散抵抗手段を介して被測定ガスを導入するようになしてあり、上記拡散抵抗手段は、多孔度２〜１０％、膜厚２００〜１０００μｍの多孔質層にて構成して、該拡散抵抗手段を通過する際の水素と酸素の拡散速度に差を設けている。
【０００８】
上記検出部は、可燃性ガスである水素を酸素と反応（燃焼）させた時の、被測定ガス中の酸素濃度の減少量を測定することによって、間接的に水素濃度を検出する。ただし、電池の過充電・過放電時には、電池電解液の電気分解によって水素と酸素が２：１の割合で発生するため、水素と酸素が過不足なく反応した場合、上記検出部は、反応生成物である水蒸気による酸素分圧（酸素濃度）の低下のみを検出することになる。この酸素分圧の低下だけでは小さな出力変化しか期待できないため、本発明では、上記検出部に上記拡散抵抗手段を介して被測定ガスを導入することにより、検出感度を向上させる。すなわち、水素と酸素では拡散係数が異なり、水素の方が上記拡散抵抗手段を通過する際の拡散速度が速いために、上記検出部に到達する量が酸素よりも多くなる。従って、電池の過充電・過放電時に水素と酸素が２：１の割合で発生しても、検出部では、水素濃度が増加しているために、反応生成物である水蒸気による酸素分圧の低下から予測される以上に酸素濃度の減少量が大きくなり、水素濃度を高い感度で検出することができる。
ここで、上記拡散抵抗手段を通過する際の水素と酸素の拡散速度は、上記拡散抵抗手段に依存し、上記拡散抵抗手段を構成する多孔質層の多孔度を適切に設定することで、水素と酸素の拡散速度の差を充分大きくし、検出感度を向上させることができる。
上記検出部は限界電流式の酸素センサ素子構造を有し、その一対の電極の一方に上記拡散抵抗手段を介して被測定ガスを導入し、上記一対の電極間に所定の電圧を印加すると、上記一方の電極上で被測定ガス中の酸素が分解し酸素イオンとなって上記基体内を移動する。この時、上記一対の電極間には、上記一方の電極に到達した被測定ガス中の水素が酸素と反応した後の酸素濃度に応じた限界電流が流れるので、この減少量を測定することで水素濃度を精度よく検出することができる。
【０００９】
請求項２の発明では、上記拡散抵抗手段を、ピンホールとその表面を覆う多孔度３〜３０％、膜厚１０〜２００μｍの多孔質の保護層にて構成する。
【００１０】
拡散抵抗手段として、ピンホールと保護膜を用いることもできる。この場合も、ピンホールの大きさや保護層の多孔度を適切に設定することで、水素と酸素の拡散速度の差を充分大きくして、請求項１と同様の効果を得ることができる。
【００１１】
請求項３の発明では、上記検出部を、筒状のカバー体内に収容する。該カバー体は一端開口を被測定ガスの導入口としてあり、該導入口に防爆金網を配設することで火炎伝播を防止することができる。
【００１２】
上記基体は、請求項４の発明のように、上記酸素イオン導電性固体電解質が試験管状に成形してなり、上記一対の電極が上記基体の先端部近傍に内外周面の対向位置に設けられた構造とすることもでき、請求項５の発明のように、上記酸素イオン導電性固体電解質がシート状に成形してなり、上記一対の電極が上記基体の上下表面の対向位置に設けられた構造とすることもできる。かかる構成をとることにより、内燃機関において空燃比のフォードバック制御に用いられる酸素濃度センサの製造技術の流用により容易に製造可能である。
【００１３】
請求項６の発明は、請求項１ないし５のいずれか記載の水素センサを備える電池の過充電・過放電検出装置であり、電池の充放電時に、上記水素センサを用いて電池室内における水素の発生を検出することにより、過充電または過放電を検出するものである。
【００１４】
電池の過充電・過放電時には電池室内で水素が発生するので、上記水素センサを用いて、電池室内の水素濃度を測定することにより、過充電と過放電の両方を検出することができる。よって、所定値以上の水素が検出された時に過充電・過放電状態であると判断して、充放電を停止するようにすれば、充放電の制御が容易にできる。
【００１５】
請求項７の発明は、請求項１ないし５のいずれか記載の水素センサを備える燃料電池の水素漏れ検出装置であり、上記水素センサを燃料電池本体へ水素を供給する水素供給系の近傍に配置して該水素供給系における水素の漏れを検出するものである。
【００１６】
上記水素センサにより水素供給系の近傍の水素濃度が高い感度で検出されるので、高感度で燃料電池の水素漏れを検出することができ、速やかに水素の供給停止等の処置をとることができる。
【００１７】
【発明の実施の形態】
以下、図面により本発明の第１の実施の形態について説明する。図１は本発明の水素センサＳの全体構成図で、外周に取付け用のフランジを有する筒状ハウジング１とその下端部に固定される筒状のカバー体３を有し、これら筒内に検出部となるセンサ素子２を収容保持している。ハウジング１およびカバー体３は、いずれも検出しようとする水素ガスに対して耐性を有する材料、例えば、ステンレス鋼等で構成される。
【００１８】
センサ素子２は、上半部がハウジング１内に絶縁部材１１を介して保持固定され、下半部はハウジング１より突出してカバー体３内に収容されている。カバー体３は、下端開口を被測定ガスの導入口３１としており、該導入口３１には、火炎伝播を防止するための半球状の防爆金網３２が配設してある。水素のような可燃性ガスを検出する場合、被測定ガス中の水素濃度が爆発範囲となり発火するおそれがあるが、防爆金網３２によって火炎の熱を奪い、外部へ広がるのを防止する。また、防爆金網３２の破損を防止するため、その周囲を保護するように、複数の貫通穴３３ａを有する容器状の保護部材３３を設けている。防爆金網３２は、通常、二重金網構造で内外の金網間に空間を有し、また、金網の孔の大きさを適切に設定して、火炎の拡散を効果的に防止している。
【００１９】
センサ素子２の上方には、ハウジング１の上端開口を閉鎖するように、セラミックス製の蓋状体４が配設されている。蓋状体４の下端はハウジング１の上端開口内に固定され、蓋状体４の上部外周を覆って筒状の金属製のカバー体４１が設けてある。カバー体４１の上端開口は絶縁部材１２で封止してあり、絶縁部材１２の下方に配したセラミックス製の筒状体４２と蓋状体４の間には、コイルスプリング４３が設けられて、蓋状体４を下方に押圧している。
【００２０】
センサ素子２は、酸素イオン導電性固体電解質であるジルコニアよりなる試験管状の基体２ａと、その先端部近傍において内外周面の対向位置に設けた白金等の電極２ｂ、２ｃとからなる。基体２ａの外表面には、外周側の電極２ｂを覆うように、多孔質アルミナ等からなる拡散抵抗手段としての拡散抵抗層５が形成してあり、該拡散抵抗層５内を通過した被測定ガスが電極２ｂに到達するようになしてある。
【００２１】
基体２ａの中空部内にはヒータ６が収容されており、ヒータ６の発熱部６１は、基体２ａの電極２ｂ、２ｃに対向している。電極２ｂ、２ｃは、基体２ａの表面に形成したリード部（図略）を介してリード線１６、１７に接続し、これらリード線１６、１７の他端は絶縁部材１２に保持されるターミナル１３、１４に接続される。上記ヒータ６は、絶縁部材１２に保持されるターミナル１５に接続される。なお、基体２ａの中空部は、カバー体４１に設けた通気孔（図略）および各部材間に形成される微小間隙を介して大気に連通している。
【００２２】
図２に、上記構成の水素センサＳを、ハイブリッド車または電気自動車に使用される電池の充放電制御システムに適用した例を示す。図中、電池室Ａは、電池ケースＢ内に収容される複数のニッケル水素電池Ｃを備えており、該ニッケル水素電池Ｃの出力電流はインバータ７３にて交流に変換される。上記電池室Ａの上部壁に、電池の過充電・過放電検出装置の一部をなす上記水素センサＳが取付けられている。水素センサＳは、センサ測定回路７１を介してＥＣＵ７２に接続され、ＥＣＵ７２は水素センサＳにて測定される被測定ガス中の水素濃度に基づいて、電池の過充電および過放電を検知し、充放電を制御するようになしてある。
【００２３】
電池室Ａ内の被測定ガスは、図１における水素センサＳの保護部材３３の貫通穴３３ａ、防爆金網３２を経て、カバー体３内に導入され、拡散抵抗層５を通過してセンサ素子２の電極２ｂに到達する。ここで、センサ素子２の、基体２ａを挟んで対向する電極２ｂ、２ｃに、電極２ｃが＋極となるように所定の直流電圧が印加すると、電極２ｂに達した被測定ガス中の酸素が酸素イオンとなって基体２ａ内を電極２ｃ側へ移動することにより、電極２ｂ、２ｃ間に被測定ガス中の酸素濃度に応じた限界電流が流れる。電池の過充電または過放電により電池室Ａ内に水素が発生し、被測定ガス中に水素が存在する場合には、水素と酸素が反応するために出力が減少するので、水素ガスの濃度変化に伴う酸素濃度の変化を、限界電流値の変化として計測することができる。
【００２４】
過充電・過放電時には、電解液中の水の電気分解によって水素と酸素が２：１の割合で発生するため、発生した水素と酸素が完全に燃焼すれば、酸素濃度は、図６に点線で示すように、燃焼により生じた水蒸気による酸素分圧の低下分しか変化しない。ところが、本発明では、拡散抵抗層５を設けており、水素が酸素より速く拡散抵抗層５を通過するため、電極２ｂ上では水蒸気の影響分以上に酸素濃度が減少する（図６に多孔質層（図１）として示す）。従って、この酸素濃度の減少量を検出することにより、水素濃度を高感度で測定することができ、これに基づいて電池の過充電・過放電を検知することができる。なお、図６は、電池の過充電・過放電時を想定して、水素：酸素＝２：１で発生させた時の、水素濃度に対するセンサ出力の変化を示すものである。また、拡散抵抗層５を通過する際の水素と酸素の拡散速度は、拡散抵抗層５の多孔度に依存し、これを適切に設定することで、水素と酸素の拡散速度の差を充分大きくすることができる。なお、拡散抵抗層５の多孔度は、通常２〜１０％、膜厚は、通常２００〜１０００μｍ程度の範囲で設定される。
【００２５】
図３は、ＥＣＵ７２による充放電制御のフローチャートであり、ステップ１０１で充放電を実施したら、ステップ１０２で水素センサＳの出力を読み込み、ステップ１０３で水素センサＳの出力変動が所定の設定値を超えているかどうかを判定する。出力変動が設定値を超えている場合には、電池室Ａ内で水素が発生している、すなわち電池が過充電または過放電状態にあると判断し、ステップ１０４でインバータ７３にて充放電を停止して、後処理行程へ進む。ステップ１０３で出力変動が設定値を超えていない場合には、これら一連の動作を繰り返す。
【００２６】
このように、本発明の水素センサＳを用いて水素濃度を測定し、測定結果が所定の設定値を超えた時に充放電を停止することで、過充電・過放電を防止し、安全性を確保することができる。
【００２７】
図４は本発明の第２の実施の形態を示すもので、本実施の形態の水素センサＳは、ジルコニアシートを用いた積層型のセンサ素子構造を有している。図４（ａ）において、筒状ハウジング１内には、絶縁部材４５およびガスシール材４４を介してセンサ素子２が収容保持され、ハウジング１の下端開口には、上記第１の実施の形態と同様の防爆金網３２および保護部材３３が設けてある。センサ素子２は、図４（ｂ）、（ｃ）のように、基体となるジルコニア基板２１と、その上下表面の対向位置に設けた電極２２、２３を有している。上部電極２２は、ハウジング１内空間に露出し、下部電極２３は、ジルコニア基板２１下方に配したスペーサ８内に形成される内部空間８１に露出している。スペーサ８の下方には、アルミナ等の基板６１、６２間に白金等のヒータ電極６３を埋設してなるヒータ６が積層してある。
【００２８】
本実施の形態では、拡散抵抗手段として、ジルコニア基板２１および電極２２、２３の中央を貫通するピンホール５１を設けている。内部空間８１は、このピンホール５１を介して、被測定ガスが存在するハウジング１内空間に連通しており、ピンホール５１の大きさは、これを通過して内部空間８１に導入される被測定ガスが所定の拡散速度となるように適宜設定される。
【００２９】
上記構成における水素センサＳの作動は、上記第１の実施の形態と同様であり、電極２２、２３に、電極２２が＋極となるように所定の電圧を印加すると、電極２２、２３間に、ピンホール５１を介して内部空間８１に導入される被測定ガス中の酸素濃度に応じた限界電流が流れ、その減少量を検出することで、水素濃度を測定することができる。この時のセンサ出力の変化を図６に併記する。
【００３０】
図５は本発明の第３の実施の形態を示す。本実施の形態では、図４の水素センサＳ構造に加えて、ピンホール５１表面を覆う多孔質の保護層５２を設けている。保護層５２は、例えば、多孔質アルミナ等よりなり、多孔度は通常３〜３０％、膜厚は通常１０〜２００μｍ程度の範囲で設定する。このようにすると、保護層５２およびピンホール５１を介して内部空間８１に導入される被測定ガス中の水素と酸素の拡散速度の差が大きくなる。よって、図６に示すように、ピンホール５１のみの場合より、センサ出力の変化が大きくなり、検出感度が向上する。
【００３１】
図７に、上記各構成の水素センサＳを、ハイブリッド車または電気自動車に使用される燃料電池の水素漏れ検出装置に適用した例を示す。燃料電池は燃料電池本体９１に水素を供給する水素供給系９２を備えており、水素供給系９２は、改質器９２１において、燃料タンク９４１に貯留したメタン等の燃料と、水タンク９４２に貯留した水とから水素を生成する。燃料電池本体９１には、燃料極に供給配管９２２を通り上記水素が供給されるとともに、空気極にエアポンプ９３１から加湿器９３２を介して空気が供給されて発電しバッテリ９７１を充電する。発電時の燃料電池本体９１は水ポンプ９６の作動で供給される冷却水により冷却される。
【００３２】
燃料電池本体９１に供給された水素のうち上記燃料極で消費されなかった余剰水素は回収配管９２３に排出される。回収配管９２３は上記供給配管９２２に合流するとともに、回収配管９２３の途中に設けられた循環ポンプ９２４の作動により水素を燃料電池本体９１へと戻すようになっており、上記水素供給系９２を構成している。
【００３３】
燃料電池本体９１から充電を受けるバッテリ９７１は、車両の動力用のモータ９７３に駆動電流を、例えばＰＷＭ制御を行うコントローラ９７２を介して供給する。
【００３４】
水素漏れ検出装置は、上記供給配管９２２の近傍に上記水素センサＳが配置され、水素センサＳは、センサ測定回路７４を介してＥＣＵ７５に接続される。
【００３５】
ＥＣＵ７５はコントローラ９７２に指令信号を出力してモータ９７３に所定のトルクを発生せしめるとともに、水素センサＳにて測定される被測定ガス中の水素濃度すなわち供給配管９２２の近傍雰囲気中の水素濃度に基づいて、燃料タンク９４１からの水素の供給と停止とを切り換えるバルブ９５１と、水タンク９４２からの水の供給と停止とを切り換えるバルブ９５２とを制御する。すなわち、ＥＣＵ７５は、検出水素濃度が所定濃度を越えるとバルブ９５１，９５２を閉じて燃料と水の供給を停止して改質器９２１のおける水素の生成を停止するようになっており、水素漏れの拡大を防止する。
【００３６】
これにより、漏れ水素による水素濃度が爆発限界濃度に到達するのを回避し、より安全性を高めることができる。
【００３７】
なお水素センサＳは上記改質器や上記回収配管の近傍に配置するのもよい。
【図面の簡単な説明】
【図１】本発明の第１の実施の形態を示す水素センサの全体断面図である。
【図２】第１の実施の形態の水素センサを用いた充放電制御システムの概略構成を示す図である。
【図３】第１の実施の形態における充放電制御のフローチャートを示す図である。
【図４】（ａ）は第２の実施の形態における水素センサの全体断面図、（ｂ）はセンサ素子の正面図、（ｃ）は（ｂ）のＡ−Ａ線断面図である。
【図５】（ａ）は第３の実施の形態における水素センサの全体断面図、（ｂ）はセンサ素子の正面図、（ｃ）は（ｂ）のＢ−Ｂ線断面図である。
【図６】水素濃度に対する本発明の水素センサの出力変化を示す図である。
【図７】第４の実施の形態の、水素センサを用いた水素漏れ検出装置の概略構成を示す図である。
【符号の説明】
１  ハウジング
２  センサ素子（検出部）
２ａ  基体
２ｂ、２ｃ  一対の電極
３  カバー体
５  拡散抵抗層（拡散抵抗手段）
５１  ピンホール（拡散抵抗手段）
９１  燃料電池本体
９２  水素供給系
Ｓ  水素センサ
【図１】
0003705994.tif 000002
【図２】
0003705994.tif 000003
【図３】
0003705994.tif 000004
【図４】
0003705994.tif 000005
【図５】
0003705994.tif 000006
【図６】
0003705994.tif 000007
【図７】
0003705994.tif 000008